(57)【要約】      （修正有）【課題】取付ピンを裏面に突設したピンバッジを、衣服に孔をあけずに装着できるようにしたピンバッジ装着具を提供する。【解決手段】装着具本体１に、ピンバッジ２の取付ピンを挿入できる挿入孔がある。挿入孔が開口していない装着具本体の裏面に本体側磁石５を固定する。この本体側磁石に磁着する止着側磁石７を設ける。この止着側磁石７の裏面に、止着側磁石の外形よりも大きな保持枠片８を固定する。この保持枠片８を強磁性体で構成する。【選択図】図１
2018148982.tif 000002
【特許請求の範囲】
【請求項１】
ピンバッジ本体の裏面に突設した取付ピンを挿入する挿入孔を有する装着具本体と、該挿入孔が開口していない装着具本体の裏面に固定された本体側磁石と、該本体側磁石に磁着される止着側磁石を具備するピンバッジの装着具。
【請求項２】
止着側磁石には、外縁が該止着側磁石よりも大きく形成された保持枠片が固定されている請求項１に記載のピンバッジ装着具。
【請求項３】
上記保持枠片は強磁性体で構成されている請求項２に記載のピンバッジ装着具。
【請求項４】
上記保持枠片は止着側磁石を受け入れる凹部を有している請求項３に記載のピンバッジ装着具。
【請求項５】
上記保持枠片の周縁には、止着側磁石の側面側に延びる屈曲縁が設けられている請求項３または４に記載のピンバッジ装着具。
【請求項６】
上記止着側磁石は強磁性体で作られたキャップに収納され、その裏面側には保持枠片が重着している請求項３または５に記載のピンバッジ装着具。
【発明の詳細な説明】
【技術分野】
【０００１】
本発明は、取付ピンを有するピンバッジを衣服に装着する際に使用する装着具に関し、特に衣服に孔をあけることなく装着できるようにしたピンバッジ装着具に係るものである。
【背景技術】
【０００２】
ピンバッジは、ピンバッジ本体の裏面に取付ピンを突設することが必要であり、このピンがなければピンバッジとは言われない。そして、この取付ピンを衣服の表から差し込んで裏面側から取付ピンに留め具(クラッチ)を係合させて装着するのが原則である(例えば特許文献１参照)。ピンバッジの文化は、外国では広く普及しているが、日本では旧来の文化ではないため、日本の衣服、特に着物のような衣服には装着がむずかしい。生地が繊細の着物では、ピンで孔をあけると、生地がほつれたり、破れたりし、孔の跡が残ったり、傷ついたりし、体裁も良くない。
【０００３】
上記のような取付ピンを用いずにピンバッジ本体の裏面に磁石を固定し、この磁石に磁着する止着用磁石を留め具とし、衣服の裏側から上記磁石に磁着させて装着する構成も知られているが、このような構成では、既存のピンバッジを装着することができない。また、近年の磁石は、磁着力が大きいので、簡単に取り外すことができなかったり、磁気作用が身体に悪影響を与えるおそれもあった。
【先行技術文献】
【特許文献】
【０００４】
【特許文献１】実開昭６０−６３２１０号公報(第１図、第２図)
【発明の概要】
【発明が解決しようとする課題】
【０００５】
本発明は、取付ピンを有するピンバッジを、衣服等を傷めることなく装着できるようにしたピンバッジ装着具を提供することである。
【課題を解決するための手段】
【０００６】
本発明によれば、ピンバッジ本体の裏面に突設した取付ピンを挿入できる挿入孔を有する装着具本体と、該挿入孔が形成されていない装着具本体の裏面に固定された本体側磁石と、該本体側磁石に磁着される止着側磁石を具備するピンバッジ装着具が提供され、好ましくは外縁が該止着側磁石よりも大きく形成され保持枠片を止着側磁石に固定した上記ピンバッジ装着具が提供され、上記課題が解決される。
【０００７】
また、本発明によれば、上記保持枠片に止着側磁石を受け入れる凹部を形成したり、保持枠片の周縁に装着具本体側に延びる屈曲縁を設けた上記ピンバッジ装着具が提供される。
【発明の効果】
【０００８】
本発明は上記のように構成され、ピンバッジ本体の裏面に突設した取付ピンを挿入できるよう装着具本体に形成された挿入孔と、該挿入孔が開口していない装着具本体の裏面に固定された本体側磁石と、該本体側磁石に磁着される止着側磁石を具備しているので、ピンバッジは取付ピンを装着具本体の挿入孔に挿入し、取付ピンに裏面側から公知の留め具を係合することにより装着具本体にピンバッジを取り付けることができる。そして、装着具本体を衣服その他の装着希望箇所にあてがい、衣服を挟んでその裏面側から止着側磁石を磁石に磁着させれば、衣服等を損傷させることなく、生地がほつれやすい着物にも使用できる。このようにすれは、既存のピンバッジでも衣服等に孔を開けずに装着することができる
【０００９】
また、止着側磁石に保持枠片を固定しておくと、裏面側の磁石を取り外す際に、保持枠片をつまんで、止着側磁石を確実に保持することができ、衣服の裏面側から止着側磁石を容易に外して、止着具本体を衣服から取り外すことができる。この際、保持枠片を止着側磁石の外形より大きく形成することにより、強力な磁石でも周縁部をつまんで容易に剥離させることができる。さらに、保持枠片を鉄板等の強磁性体で構成すると、止着側磁石との間で磁気回路が形成され、磁力線が保持枠片の外側に漏れにくくなり、身体への影響を与えにくくできる。
【図面の簡単な説明】
【００１０】
【図１】ピンバッジを取り付けた状態の斜視図。
【図２】図１の状態の側面図。
【図３】装着具本体の斜視図。
【図４】保持枠片の他の実施例を示す斜視図。
【図５】保持枠片のさらに他の実施例を示し、(Ａ)は周縁に屈曲縁を設けた説明図、(Ｂ)は止着側磁石を受け入れる凹部を設けた説明図、(Ｃ)は凹部を有するキャップに保持枠片を固着した説明図、(Ｄ)はさらに周縁に屈曲縁を設けた説明図。
【発明を実施するための形態】
【００１１】
本発明に係るピンバッジの装着具は、適宜形状に形成した装着具本体１を有している。この装着具本体は、金属材料で形成してあるが、木材料、フェルトその他の布材料、プラスチック材料、紙材料等の材料で形成することができ、また板状に形成してあるが、適宜のフィギュアその他の立体形状でもよい。周縁には、ピンバッジ２の取付ピン３を挿入することができる挿入孔４が形成されている。この挿入孔４は、図に示す実施例では、あらかじめ装着具本体に形成してあるが、布材料、紙材料、軟質プラスチック材料で装着具本体を形成した場合は、あらかじめ挿入孔を形成しなくても、取付ピンを直接装着具本体に差し込むことにより挿入孔としてもよい。上記挿入孔４が開口していない装着具本体１の裏面には本体側磁石５が固定されている。公知のようにピンバッジ２は、取付ピン３の先端に係合させる留め具（クラッチ）６を具備しているから、上記挿入孔４に差し込んだ取付ピン３の先端に留め具６を係合させれば、ピンバッジ２を装着具本体１に連結することができる。上記挿入孔４は、図に示す実施例では１つであるが、複数個設けることもできる。
【００１２】
上記本体側磁石５には、使用時に衣服を挟んで磁着することができる止着側磁石７が磁着されている。この止着側磁石７は、本体側磁石５とほぼ同じ外径を有している。止着側磁石７は、円板状に形成されているが、好ましくは止着側磁石の裏面に、その外形よりも大きい保持枠片を固着さしてある。この保持枠片８の周縁に指をかけることにより止着側磁石７を確実につまむことができ、簡単に本体側磁石５から引き離すことができる。
【００１３】
一般に、上記磁石や保持枠片は小さいので、子供が誤って飲み込むおそれがあるときは、図４に示すように、保持枠片８に適宜数の貫通孔９を設けて通気できるようにすることもできる。
【００１４】
また、上記保持枠片８は、鉄板その他の強磁性体で構成することが好ましい。このように強磁性体で保持枠片８を構成すると、止着側磁石７との間で磁気回路が形成され、保持枠片８の裏面側に、すなわちピンバッジを装着した身体側に磁気作用が漏れにくくなり、身体に影響を与えるおそれ少なくなる。この磁気回路を形成する保持枠片８は、図５に示すように、種々に構成することができる。例えば、保持枠片の周縁に、止着側磁石の側面方向に屈曲する屈曲縁１０を設けて磁気回路を確実に形成できるようにしたり（Ａ図参照）、止着側磁石７が嵌合する凹部１１を設けて保持枠片の周縁を止着側磁石７の前面側に位置させて止着側磁石７の後面と身体の間の距離を離すようにしたり（Ｂ図参照）することができる。
【００１５】
さらに、磁気回路を確実にして磁気漏れを防ぐために、保持枠片８を複数重ねることもできる。例えば、図５（Ｃ）に示すように、止着側磁石７を、鉄板等の強磁性体で構成したキャップ１２内に設け、その後面側に上記のような板状の保持枠片８を重着して固定したり、この保持枠片８の周縁に屈曲縁１０を設けたりしてもよい（Ｄ図参照）。
【００１６】
上記の構成によりピンバッジを装着するには、装着具本体１の挿入孔４にピンバッジ２の取付ピン３を挿入して裏面側から取付ピン３の先端に留め具６を係合し、この装着具本体１を衣服等のピンバッジを装着したい部分にあてがい、衣服等の裏面に止着側磁石７を差し込んで衣服を挟んで本体側磁石５に磁着させれば、衣服に孔をあけずにピンバッジ２を装着することができる。そして、取り外す際は、保持枠片８に指をかけて止着側磁石７と本体側磁石５を離せば、簡単にピンバッジ２を衣服から外すことができる。
【符号の説明】
【００１７】
１  装着具本体
２  ピンバッジ
３  取付ピン
４  挿入孔
５  本体側磁石
６  留め具
７  止着側磁石
８  保持枠片
【図１】
2018148982.tif 000003
【図２】
2018148982.tif 000004
【図３】
2018148982.tif 000005
【図４】
2018148982.tif 000006
【図５】
2018148982.tif 000007